(57)【要約】      （修正有）【課題】観賞水槽の循環水ポンプの吸い込み負圧を利用してポンプ等の中でキャビテーションを起こすことなく大気中の酸素等を取り込み、長期の水槽内の水質維持を効率よく実感できる大気圧減圧装置を提供する。【解決手段】鑑賞水槽１７から排出された水は、循環水戻り管７より循環ポンプ１１、濾過器１３を介して循環水送り管１２を通じて、鑑賞水槽１７に戻る。循環水戻り管７の途中に空気を吸引させるための通水管入り口ユニオン５を設ける。空気は、容器１より連結チューブ８を介して、通水管入り口ユニオン５に供給される。容器１は、絞り膨張作用で減圧する入口の弁３と出口の弁４を備え、循環水戻り管７に取り付けの大気混入部通水管６と、該通水管入り口ユニオン５に連結チューブ８でコック９を介し容器１の出口弁カバー２３の接続部と繋ぎ、大気混入部通水管６と容器１と一体として構成する。【選択図】図１
0003168041.tif 000002
【実用新案登録請求の範囲】
【請求項１】
大気を減圧する容器の大気入り口に弁と、出口側に弁を設け、出口弁には、出口弁カバーを設ける。大気を減圧する容器と一体となる、大気混入部通水管の通水管入り口ユニオンの取り付けの管内先端部は、循環水流れ方向に若干傾斜して管の中間まで挿入することを特徴とする大気圧減圧装置。
【考案の詳細な説明】
【技術分野】
【０００１】
本考案は、観賞用水槽の水質維持に大気を利用することに関するものである。
【背景技術】
【０００２】
観賞用水槽内の水質汚濁原因は主に、海水、淡水水槽ともに飼育される、熱帯魚など水棲生物の餌の食べ残しや、排泄物、水草の老廃物等によって発生する。
【０００３】
水質汚濁には物理的と、有機物汚濁が有り、従来の観賞水槽内の水質維持は、濾過器を使用して物理的と有機物の処理し水質維持を行う、物理的の大きな物は人為的に処理し、水棲生物の餌の食べ残しや排泄物等の有機物の処理は、自然界の空気中から水槽内へ各種の好気性有益バクテリア、ニトロソナス属やニトロバクター属によって、生物酸化分解連鎖作用で有害のアンモニアへ分解、更にバクテリアによってアンモンニアからこれも有害の亜硝酸へ、そしてこの有害の亜硝酸から無害の硝酸塩へバクテリアの酸化分解連鎖作用によって有機物は処理される。
【０００４】
好気性バクテリアはすべて、遊離酸素、水の中に漂う酸素分子を取り入れ酸化による酸化分解連鎖の生物濾過を行う。酸化分解連鎖を促進させるためには、バクテリアの増殖、活性化が必要でバクテリアの繁殖場所として主に濾過器内の濾材、及び水槽内に遊離酸素に近い状態にした極微小の気泡状態で酸素補給が重要である。有機物の分解には硝酸ではなく好気的な硝化反応を行うためには酸素が必要且つ重要である。
【０００５】
生物酸化分解連鎖濾過の問題点として酸化分解連鎖の最終段階で無害の硝酸塩に成るが、これも残留濃度３０ｍｇ/リットルに達すると、水棲生物に生長の阻害や免疫等起こし悪影響を及ぼす問題があり、アクアリウム愛好家達は水棲生物を守るため、周期的に水槽内の水約三分の一程度を希釈のため水槽外へ人為的に水換え排出する労力と時間を必要とする欠点があった。
【０００６】
上述のバクテリアに別の働きのある通性嫌気性生物、脱窒菌通性嫌気菌と言われ、大気中に浮遊する菌もあり、無機窒素化合物を用いる代謝系には異化的硝酸還元および同化的硝酸還元の二つが存在するが、酸素が豊富にある条件下では酸素呼吸し、貧酸素領域では硝酸塩を最終電子受容体として用い、一酸化窒素、亜酸化窒素、窒素などを放出する脱窒反応を行う。有機物のバクテリアによって酸化分解連鎖の最終代謝物として蓄積される硝酸塩を、脱窒素菌通性嫌気菌を利用して、窒素に還元する事によって水換え頻度を軽減する事に期待できる。
【０００７】
上述の好気性バクテリアや水棲生物等に酸素供給のための装置として、電力使用のエーポンプで吹き出し口にはエアーストン等、微小の気泡にするために樹脂等で各種工夫され、発売されているが、気泡が大きく上昇が早く水中に酸素の溶存率、効果が悪い。
【０００８】
この改善策として、特許公開２００５−１４３４８３号公報の観賞用水槽内に酸素の取り入れ方法があるが。水槽に付設の循環水ポンプの循環水戻り管内の負圧を、利用して外気を直接取り入れ、また、ポンプの回転ギヤにより撹拌する方法となっているが。ポンプに外気圧力のある外気を、直接循環水の戻り管内の負圧を利用し、気泡混じりの流水をポンプに吸い込ませる事は、ポンプに対して不具合であり、危険であるキャビテーション（空洞現象が起きる。流水の断面や向きが変化する場所の近くで空洞部ができ渦を起こす現象。ポンプ、スクリュー、プロペラ等の水力機械で起きる振動や騒音の原因となり、羽やポンプの障害を起こす。）現象が起き問題があり使用不可。
【先行技術文献】
【特許文献】
【０００９】
【特許文献１】特開２００５−１４３４８３号公報
【非特許文献】
【００１０】
【非特許文献１】百科事典マイペディア  嫌気性菌
【００１１】
【非特許文献２】出典  フリー百科事典ウィキペディア  通性嫌気性生物
【考案の概要】
【考案が解決しようとする課題】
【００１２】
解決しようとする問題点は、水槽内と濾過器内の濾材に繁殖するバクテリアに増殖、活性のため、大気中の酸素等を利用し供給するもので、省エネと効率の最もよい供給方法として、水槽に付設の濾過器用循環水ポンプの戻り配管内の負圧を利用し大気中の酸素等を採り入れる事において起きる、キャビテーション現象を制御し大気中の酸素等を利用する点である。
【課題を解決するための手段】
【００１３】
本考案は、大気の圧力を減圧するための容器の入り口と出口に、二段減圧用の弁を設置、この出口のチューブ接続部と循環水戻り通水管の大気混入部のチューブ接続部をチューブで連結して、循環水戻り通水管内の負圧を利用して大気の圧力を減圧するための容器内を負圧にする、容器の大気取り入れ口で、負圧に成っている容器内に大気を吸引する、この設置されている入り口弁で、大気は絞られ絞り膨張作用で一段の減圧される、更に、容器の出口に設置の弁によって循環水戻り管に取り付けられた、大気混入部通水管の連結チューブ内の負圧で吸引され二段目の減圧することを最も主要な特徴とする。
【考案の効果】
【００１４】
上述の、圧力の無い状態に成った大気を循環水の負圧に対して圧入でなく、負圧に吸引され通水管内で圧力の無い状態の大気は、大気混入部で風船状態となって留まり、通水管内の負圧によって風船状態の先端部から間歇的に小さな気泡となり千切られ、静かに吸引されて行きキャビテーション現象が制御されるという事と、大気中の酸素等を利用できる利点がある。
【図面の簡単な説明】
【００１５】
【図１】図１は大気圧を減圧する容器を示した説明図である。（実施例１）
【図２】図２は大気混入部通水管野断面図である。（実施例２）
【図３】図３は配管系統及び装置概略図である。（実施例1）
【考案を実施するための形態】
【００１６】
大気中の空気の体積の５分の１の酸素を、濾過器内の濾材と水槽内に繁殖するバクテリアと水槽内の水棲生物等に酸素等の供給と省エネを兼ね、水槽内の水質維持のため、濾過器に付設の循環水ポンプ運転中の循環水戻り管内の負圧を利用して大気を吸い込ませる。大気には気圧があり、直接吸い込ませる事はポンプに支障を来す、大気の圧力を減圧することによって制御し、省エネと、水質維持を実現する。
【実施例１】
【００１７】
図１は本考案装置の実施例1の大気圧を減圧する容器の弁の設置図であって、1は大気圧を減圧する容器、２は大気採り入れ部、３は大気入り口弁、４は出口弁、２３は出口弁カバー内の隙間で逆流防止を兼ねる。
図２は、通水管の断面図である、６は大気混入部通水管、７は循環水戻り管、５は通水管入り口ユニオン、８は連結チューブで１の大気圧減圧する容器と連結する。
図３は、配管系統及び装置の概略図である、１７は水槽、１３は濾過器、１４は濾材、６は大気混入部通水管、１１は循環水ポンプ、１は大気圧を減圧する容器である。
【００１８】
図３の大気圧を減圧する容器内１を、図３の大気混入部通水管６と連結チューブ８で繋がれ、循環水ポンプ１１運転中の大気混入部通水管６内の循環水戻り負圧で、大気を減圧する容器１内を負圧にして、気圧のある大気を大気採り入れ部２から吸引する。大気入り口弁３を通過させ、ここで、気圧のある大気は絞られる。絞られた大気は絞り膨張作用で減圧する、更に図１出口弁４を通過する、この時ここでまた、二段減圧することを最も特徴とする。
【００１９】
本考案の大気を減圧する事によって循環水ポンプ１１に不具合のキャビテーション現象を制御することで、自然界の大気中の酸素と共に空気中に浮遊するバクテリア等取り入れる事でバクテリアの新陳代謝が出来、常時運転中のポンプ１１の動力費のみで電力費は掛からず、大気中に含まれる、酸素と共にバクテリア等を濾過器１３内の濾材１４と水槽内１９に繁殖するバクテリアの新陳代謝と活性の為、大気と共に酸素、の供給を行うことで、水槽内の水質維持、水換え頻度を軽減する事が出来る。
【００２０】
観賞用水槽内１９は通性嫌気菌の繁殖する条件が整っていて、培養するには遊離酸素の接触を断つ場所として水槽内底砂１６が有り大気を静かに取り込む事によって、大気中に浮遊する前述の通性嫌気細菌も自然に大気共に取り込まれる事で、従って、通性嫌気細菌を活着固定させる事が出来る可能性があり、バクテリアの酸化分解連鎖の最終代謝物の硝酸塩を脱窒菌通性嫌気細菌によって最終電子受容体として用い、窒素ガスに還元する脱窒還元作用が起きていると推測される現象があり、硝酸塩の残留蓄積量の測定値はゼロに近い値を示している、低減する効果が現れている。
【実施例２】
【００２１】
図２は本考案の要であり、負圧を利用する大気混入部通水管の断面図であって実施例２は、図３の水槽内１９からの循環水戻り配管７と濾過器１３の入り口の途中に取付ける。大気混入部通水管６は、大気圧を減圧する容器１の出口弁カバー２３から連結チューブ８で繋ぎ一体となる、減圧された大気を戻り循環水の負圧で静かに吸引混入する最も要となる部分である。
【００２２】
通水管入り口ユニオン５の先端部の断面スロットル効果（流体の吸引効果）を高めるため、先端部は、大気混入部通水管内６の中間まで差し込み、通水管面に対して若干流水方向に傾斜して取り付けることを最も特徴とする大気混入部通水管である。
【産業上の利用可能性】
【００２３】
本考案は、アクアリウム愛好家の観賞用水槽の水質維持のための部品、装置の成型製造、販売する産業分野で利用することができる。
【符号の説明】
【００２４】
１    大気圧を減圧する容器
２    大気採り入れ部
３    大気入り口弁
４    出口弁兼逆流防止弁
５    通水管入り口ユニオン
６    大気混入部通水管
７    循環水戻り管
８    連結チューブ
９    コック
１０  連結チューブ接続部
１１  循環水ポンプ
１２  循環水送り管
１３  濾過器
１４  濾材
１５  循環水吸い込み口
１６  水槽内底砂
１７  水槽
１８  育成及び観賞用照明灯
１９  水槽内
２０  循環水吐き出し口
２１  吸着盤（裏側）
２２  流体の流れ方向
２３  出口弁カバー
【図１】
0003168041.tif 000003
【図２】
0003168041.tif 000004
【図３】
0003168041.tif 000005
【手続補正書】
【提出日】平成22年8月24日(2010.8.24)
【手続補正１】
【補正対象書類名】実用新案登録請求の範囲
【補正対象項目名】全文
【補正方法】変更
【補正の内容】
【実用新案登録請求の範囲】
【請求項１】
循環水戻り管（７）に取り付けの大気混入部通水管（６）に連結チューブで大気圧を減圧 するための容器（１）と連結し、大気を減圧するための容器の入り口に弁（３）と出口に弁（４）を設け構成されることを特徴とする大気圧減圧装置。
【請求項２】
大気混入部通水管（６）の通水管入り口ユニオン（５）の取り付けは、循環水の流れ方向に若干傾斜して取り付けられることを特徴とする請求項１の大気圧減圧装置。
【手続補正書】
【提出日】平成22年9月13日(2010.9.13)
【手続補正１】
【補正対象書類名】実用新案登録請求の範囲
【補正対象項目名】全文
【補正方法】変更
【補正の内容】
【実用新案登録請求の範囲】
【請求項１】
循環水戻り管（７）に大気混入部通水管（６）を取り付け、容器（１）に入り口の弁（３）と出口の弁（４）を備えた容器（１）と連結チューブ（８）で連結し大気混入部通水管（６）と容器（１）と構成されることを特徴とする大気圧減圧装置。
【請求項２】
大気混入部通水管（６）の通水管入り口のユニオン（５）の取り付けは、循環水の流れ方向に若干傾斜して取り付けられることを特徴とする請求項１の大気圧減圧装置。
【手続補正書】
【提出日】平成22年9月13日(2010.9.13)
【手続補正１】
【補正対象書類名】図面
【補正対象項目名】図３
【補正方法】変更
【補正の内容】
【図３】
0003168041.tif 000006
【手続補正書】
【提出日】平成22年9月19日(2010.9.19)
【手続補正１】
【補正対象書類名】明細書
【補正対象項目名】全文
【補正方法】変更
【補正の内容】
【考案の詳細な説明】
【技術分野】
【０００１】
本考案は、観賞用水槽の水質維持に大気を利用することに関するものである。
【背景技術】
【０００２】
観賞用水槽内の水質汚濁原因は主に、海水、淡水水槽ともに飼育される熱帯魚など水棲生物の餌の食べ残しや、排泄物、水草の老廃物等によって発生する。
【０００３】
水質汚濁には物理的と、有機物汚濁が有り、従来の観賞水槽内の水質維持は、濾過器を使用して物理的と有機物なぞを処理し水質維持を行う、物理的の大きな物は人為的に処理し、水棲生物の餌の食べ残しや排泄物なぞの有機物の処理は、自然界の空気中から自然的に、水槽内へ各種の好気性有益バクテリア、ニトロソナス属やニトロバクター属によって、生物酸化分解連鎖作用でバクテリアによって水棲生物から排泄される有害のアンモンニアからこれも有害の亜硝酸へ、そしてこの有害の亜硝酸から無害の硝酸塩へバクテリアの酸化分解連鎖作用によって有機物は処理されるこの酸化分解連鎖作用には遊離酸素が必要である。
【０００４】
好気性バクテリアはすべて、遊離酸素、水の中に漂う酸素分子を取り入れ、酸化による酸化分解連鎖の生物濾過を行う、酸化分解連鎖を促進させるためには、バクテリアの増殖、活性化が必要でバクテリアの繁殖場所として主に濾過器内の濾材、及び水槽内に遊離酸素に近い状態にした極微小の気泡状態で酸素補給が重要であって有機物の分解には硝酸ではなく好気的な硝化反応を行うためには酸素が必要且つ重要である。
【０００５】
生物酸化分解連鎖濾過の問題点として酸化分解連鎖の最終段階で無害の硝酸塩に成るが、これも残留濃度３０ｍｇ/リットルに達すると、水棲生物に生長の阻害や免疫等起こし悪影響を及ぼす問題があり、アクアリウム愛好家達は水棲生物を守るため、周期的に水槽内の水、約三分の一程度を硝酸塩の残留濃度希釈のため水槽外へ人為的に水換え排出を行っている労力と時間を必要とする欠点があった。
【０００６】
上述のバクテリアに別の働きのある通性嫌気性生物、脱窒菌通性嫌気菌と言われ、大気中に浮遊する菌もあり、無機窒素化合物を用いる代謝系には異化的硝酸還元および同化的硝酸還元の二つが存在するが、酸素が豊富にある条件下では酸素呼吸し、貧酸素領域では硝酸塩を最終電子受容体として用い、一酸化窒素、亜酸化窒素、窒素などを放出する脱窒反応を行う特性があり、脱窒素菌通性嫌気菌を大気と共に採り入れ利用することは本案の課題の一つである上述の有機物のバクテリアによって、酸化分解連鎖の最終代謝物として蓄積される硝酸塩を、脱窒素菌通性嫌気菌を利用して、窒素に還元する事によって水槽外に窒素の気泡にして排出する事で、硝酸塩の残留濃度の減少によって水換え頻度を軽減する事に期待できる。
【０００７】
従来、水棲生物等に酸素供給のための装置として、電力使用のエーポンプで吹き出し口にはエアーストン等、微小の気泡にするために樹脂等で各種工夫され、発売されているが、自然界の大気中の酸素は体積の５分の一で気泡が大きいと上昇が早く水中に酸素の溶存率悪く、酸化分解連鎖濾過の有益バクテリアの必要とする遊離酸素の供給効果が悪く電力の消費無駄が大きい。
【０００８】
この改善策として、特許公開２００５−１４３４８３号公報（未審査請求によるみさげ取下最終処分日、平１９２２７）の観賞用水槽内に酸素の取り入れ方法であるが。水槽に付設の循環水ポンプの循環水戻り管内の負圧を、利用して外気を直接取り入れ、また、ポンプの回転ギヤにより撹拌する方法となっているが。ポンプに外気圧力のある外気を、直接循環水の戻り管内の負圧を利用し、気泡混じりの流水をポンプに吸い込ませる事は、ポンプに対して不具合がおき、故障に至るキャビテーション（空洞現象が起きる。流水の断面や向きが変化する場所の近くで空洞部ができ渦を起こす現象。ポンプ、スクリュー、プロペラ等の水力機械で起きる振動や騒音の原因となり、羽やポンプの障害を起こす。）現象が起き問題があり使用不可能であった。
【先行技術文献】
【特許文献】
【０００９】
【特許文献１】特開２００５−１４３４８３号公報
【非特許文献】
【００１０】
【非特許文献１】百科事典マイペディア  嫌気性菌
【００１１】
【非特許文献２】出典  フリー百科事典ウィキペディア  通性嫌気性生物
【考案の概要】
【考案が解決しようとする課題】
【００１２】
解決しようとする問題点は、水槽内の省エネをかねた水質維持のため濾過器内の濾材と水槽内に繁殖するバクテリアに増殖、活性のため、大気中の酸素などを供給するもので、省エネと効率の最もよい供給方法として、水槽の外部に付設の濾過器循環水ポンプ運転中の戻り配管内の循環水の負圧を利用し大気中の酸素、バクテリア等を採り入れる事。
前記の循環水ポンプの戻り配管内の負圧を利用し、直接空気混じりの循環水をポンプに吸い込ませることはキャビテーション現象が発生する問題があり困難で有るが、このキャビテーション現象を制御して省エネの為と効率よく大気中の酸素などを利用する点にある。
【課題を解決するための手段】
【００１３】
本考案は、キャビテーション現象を制御するため、循環水戻り管（７）の負圧を利用して容器（１）に大気を採り入れ絞り膨張作用で大気圧を減圧する。
循環水戻り管（７）に取り付けの大気混入部通水管（６）の通水管入り口に取り付けのユニオン（５）に連結チューブ（８）を接続して容器（１）の出口に設けた弁（４）の連結チューブ接続部（１０）と連結チューブ（８）で大気混入部通水管（６）と容器（１）と連結して構成する。
循環水戻り管（７）内の負圧を利用して、容器（１）内を負圧状態にして大気を大気採り入れ部（２）から吸引し取り込む、大気は容器（１）に設置された入り口の弁（３）を強制吸引され通過することで、この時点で採り入れた大気は入り口の弁（３）によって絞り膨張作用で容器（１）内に減圧される、減圧された大気はまた、出口に備えられた出口の弁（４）を、連結チューブ（８）内の負圧で吸引され通過し運ばれて行く、又、この時点で更に二段目の減圧することを最も主要な特徴とする。
【考案の効果】
【００１４】
本考案の大気圧減圧装置で圧力のない状態になった大気を循環水の負圧に対して圧入でなく、循環水の負圧に吸引され大気混入部通水管（６）内の通水管入口のユニオン（５）先端部で、圧力の無い状態の大気は風船状態となって留まりながら大気混入部通水管（６）内の負圧によって、風船状態の先端部から間歇的に千切られ小さな気泡となり、静かに吸引され運ばれて行き循環水ポンプ（１１）にはキャビテーション現象をおさえることができ循環水ポンプ（１１）にダメージを与えることなく、大気中の酸素等を直接観賞用水槽内で酸素を必要とする水棲生物及び、濾過器（１３）内の濾材（１４）に繁殖するバクテリア等に酸素等を直接供給する事と、外気に浮遊するバクテリアも新陳代謝のために混入でき最も水質維持が促進される、本考案の解決しようとする課題の循環水ポンプ（１１）の循環水戻り負圧を利用し供給することでき循環水ポンプ（１１）の動力費を利用することで省エネと水槽内の水質維持ができる利点があり課題を達成することができた。
【図面の簡単な説明】
【００１５】
【図１】図１は大気圧を減圧するための配管系統及び装置概略を示した図である。（実施例1）
【図２】図２は循環水戻り管に大気混入部通水管取り付けを示した図である。（実施例２）
【図３】図３は容器を示した説明図である。
【考案を実施するための形態】
【００１６】
大気中の酸素などを、濾過器（１３）内の濾材（１４）と水槽内に繁殖するバクテリアと水槽内の水棲生物等に酸素などを供給と省エネを兼ね、水槽内の水質維持のため、濾過器（１３）に付設の循環水ポンプ（１１）運転中の循環水戻り管（７）内の負圧を利用して大気を採り入れる、この時気泡によって起きる問題のキャビテーションをおさえ、循環水ポンプ（１１）にダメージを与えることなく、省エネと、水質維持を実現した。
【実施例１】
【００１７】
図1に基づいて実施例１を説明する。
図１は配管系統及び装置の概略図である、循環水戻り管（７）に大気混入部通水管（６）を取り付け容器（１）と連結チューブ（８）で連結し構成する、通水管入り口のユニオン（５）の先端部で循環水の負圧を導入し容器（１）内を負圧にする大気圧減圧装置である。
循環水ポンプ（１１）の運転中の吸い込み側の循環水戻り管（７）の途中に、取り付けの大気混入部通水管（６）内の循環水戻り負圧を連結チューブ（８）で連結して容器（１）内を負圧にして、気圧のある大気を容器（１）の大気採り入れ部（２）から吸引して、容器（１）の入り口に設置の弁（３）に通過させる、ここで、気圧のある大気は入り口の弁（３）で絞られる、容器（１）内に絞られた大気は絞り膨張作用で減圧される、更に連結チューブ（８）で大気混入部通水管（６）内の負圧で吸引され容器（１）の出口に設置された弁（４）を通過する、この時ここで更に、弁の絞り抵抗で二段減圧するこの減圧作用を最も特徴とする。
【００１８】
図２に基づき説明する。
大気混入部通水管（６）を循環水戻り管（７）に取り付けた図である。（６）は大気混入部通水管、（７）は循環水戻り管、（５）は通水管入り口のユニオン、（２２）大気の流れ方向、（２４）循環水の流れ方向、（８）は連結チューブで、容器（１）と連結し構成する。
【００１９】
図３に基づき説明する。
本考案装置の実施例1の容器（１）の弁の設置図であって、（1）は容器、（２）は大気採り入れ部、（３）は入り口の弁、（４）は出口の弁、（８）は連結チューブ、（１０）は連結チューブ接続部、（２３）は出口弁カバー、（２１）は裏側吸着盤ある。
【００２０】
本考案の大気減圧装置によって循環水ポンプ（１１）に不具合のキャビテーション現象をおさえることで、自然界の大気中の酸素と共に空気中に浮遊するバクテリア等、容器（１）の大気採り入れ部（２）から取り入れ循環水戻り管（７）で濾過器（１３）内の濾材（１４）で繁殖するバクテリアの新陳代謝が出来、常時運転中のポンプ（１１）の動力費のみで電力費は掛からず、大気中に含まれる、酸素と共にバクテリア等を濾過器（１３）内の濾材（１４）と水槽内に繁殖するバクテリアの新陳代謝と活性のため酸素を供給また、大気を採り入れることで前記記載の大気に浮遊する通性嫌気菌も昆入され通性嫌気菌の特性の脱窒還元の利用の期待ができ、水槽内の水質維持水換え頻度を軽減する事が出来る。
【００２１】
得に密閉式外部フィルター濾過器（１３）内の濾材（１４）は通性嫌気菌の特性から繁殖する条件が整っていて、培養するには嫌気菌の特性の遊離酸素の接触を断つ場所として濾材（１４）に存在する。
濾過器（１３）内に大気を静かに取り込む事によって、大気中に浮遊する前述の通性嫌気細菌も自然に大気と共に取り込まれる事に従って、通性嫌気細菌を活着固定させる事が出来る可能性があり、
有機物のバクテリアで酸化分解連鎖による最終代謝物の硝酸塩を脱窒菌通性嫌気細菌によって最終電子受容体として用い、窒素ガスに還元する脱窒還元作用が起きていると推測される現象があり、硝酸塩の残留蓄積量の測定値はゼロに近い値を示して低減する効果が現れている、上述の水槽内の水換えの時間浪費が削減できる。
【実施例２】
【００２２】
図２に基づいて実施例２を説明する。
本考案の要であり、負圧を利用する大気混入部通水管（６）の断面図であって実施例２は、循環水戻り配管７の濾過器（１３）の入り口の途中に取付ける大気混入部通水管（６）は、容器（１）の接続部（１０）から連結チューブ（８）で繋ぎ一体となり、減圧された大気を循環水戻り管（７）内の負圧で静かに吸引混入する最も要となる部分である。
【００２３】
通水管入り口のユニオン（５）の先端部はスロットル効果流体の吸引効果を高めるため、先端部は、大気混入部通水管内（６）の中間まで差し込み、若干循環水流れ方向（２４）に傾斜して取り付けることを最も特徴とする大気混入部通水管（６）である。
【産業上の利用可能性】
【００２４】
本考案は、アクアリウム愛好家の観賞用水槽の水質維持のための部品、装置の成型製造、販売する産業分野で利用することができる。
【符号の説明】
【００２５】
１    容器
２    大気採り入れ部
３    入り口の弁
４    出口の弁
５    通水管入り口のユニオン
６    大気混入部通水管
７    循環水戻り管
８    連結チューブ
９    コック
１０  連結チューブ接続部
１１  循環水ポンプ
１２  循環水送り管
１３  濾過器
１４  濾材
１５  循環水吸い込み口
１６  水槽内底砂
１７  水槽
１８  育成及び観賞用照明灯
１９  水槽内
２０  循環水吐き出し口
２１  吸着盤（裏側）
２２  大気の流れ方向
２３  出口弁カバー
２４  循環水の流れ方
こ
【手続補正書】
【提出日】平成22年9月20日(2010.9.20)
【手続補正１】
【補正対象書類名】図面
【補正対象項目名】図１
【補正方法】変更
【補正の内容】
【図１】
0003168041.tif 000007
【手続補正書】
【提出日】平成22年9月20日(2010.9.20)
【手続補正１】
【補正対象書類名】図面
【補正対象項目名】図２
【補正方法】変更
【補正の内容】
【図２】
0003168041.tif 000008
【手続補正書】
【提出日】平成23年2月9日(2011.2.9)
【手続補正１】
【補正対象書類名】実用新案登録請求の範囲
【補正対象項目名】全文
【補正方法】変更
【補正の内容】
【実用新案登録請求の範囲】
【請求項１】
絞り膨張作用で減圧する入口の弁と出口の弁を設けた容器と、循環水戻り管に取り付けの大気混入部通水管と、該通水管入り口ユニオンに連結チューブでコックを介し容器の出口弁カバーの接続部と繋ぎ、大気混入部通水管と容器と一体として構成することを特徴とする大気圧減圧装置 
【請求項２】
請求項１の大気混入部通水管の通水管入り口ユニオンは、絞り膨張作用で減圧する出口の弁と連結チューブで繋がる該ユニオンの取り付けは、循環水の流れ方向に若干傾斜して取り付けられることを特徴とする請求項１の大気混入部通水管。